(57)【要約】【課題】自走式破砕機に塵埃飛散防止用の散水装置を設けるにあたり、破砕作業現場で水道水をできるか否かに対応して、水道と水タンクとの両方を利用できるようにする。また、水タンクを搭載しても、自走式破砕機の全長が長くなってしまうことを回避する。【解決手段】散水装置１４に水を供給する供給口として、水道に接続される水道用給水口１６ａと、自走式破砕機に搭載可能な水タンクに接続されるタンク用給水口１６ｃとを設けた。また、水タンクを、ホッパおよび振動フィーダの下方に配した。【選択図】        図４
2004344814.tif 000002
【特許請求の範囲】
【請求項１】
塵埃飛散防止用の散水装置を備えた自走式環境リサイクル機において、前記散水装置に水を供給する給水口として、水道に接続される水道用給水口と、自走式環境リサイクル機に搭載可能な水タンクに接続されるタンク用給水口とを設ける一方、何れか一方の給水口からの水を散水装置に供給する切換え手段を設けたことを特徴とする自走式環境リサイクル機。
【請求項２】
請求項１において、自走式環境リサイクル機は、破砕装置と、該破砕装置に被破砕物を導入する被破砕物導入部とを備える一方、該被破砕物導入部の下方スペースに水タンクを配したことを特徴とする自走式環境リサイクル機。
【発明の詳細な説明】
【０００１】
【発明の属する技術分野】
本発明は、自走式破砕機、自走式土質改良機、木質系自走式タブグライダー等の自走式環境リサイクル機の技術分野に属するものである。
【０００２】
【従来の技術】
近年、走行体を備えた車体に、破砕装置や撹拌装置等の作業装置を搭載した自走式破砕機、自走式土質改良機、木質系自走式タブグライダー等の自走式環境リサイクル機の需要が増加しているが、この様な自走式環境リサイクル機で作業を行う場合、細かい塵埃が空中に舞い上がって、作業環境や周辺環境の悪化を招く惧れがある。
そこで、塵埃飛散を防止するべく、自走式環境リサイクル機に、破砕装置の入口部等の塵埃が発生する箇所や破砕処理物等に水を散布するための散水装置が設けられる。この様な散水装置には、該散水装置に水を供給するための水源が必要となるが、作業現場には水道水を水源として確保できない現場も多くあり、そこで従来、自走式環境リサイクル機の車体に水タンクを搭載し、該水タンクの水をポンプで吸引して散水装置に供給するように構成したものが知られている（例えば、特許文献１参照。）。
【０００３】
【特許文献１】
特開平１０−２４９２３１号公報（第３頁、図１、図２）
【０００４】
【発明が解決しようとする課題】
ところで、前記従来のものは、水タンクを水源としているため、該水タンクが空になると水タンクへの水補給が必要となる。一方、作業現場において水道水を確保できる場合もあり、この場合には水道水を水源として用いることで、水タンクを車体に搭載する必要もなくなり、さらに水タンクへの水補給も不要となる。しかるに前記従来のものは、水道水を確保できる現場であっても、該水道水からの水を散水装置に供給する供給手段がないため、水道水を有効利用することができないという問題があり、ここに本発明が解決しようとする課題があった。
また、前記従来のものにおいて、水タンクは、車体の後端部からさらに後方に突出する状態で配されている。このため、車体の全長が長くなってしまうという解決すべき課題もあった。
【０００５】
【課題を解決するための手段】
本発明は、上記の如き実情に鑑み、これらの課題を解決することを目的として創作されたものであって、塵埃飛散防止用の散水装置を備えた自走式環境リサイクル機において、前記散水装置に水を供給する給水口として、水道に接続される水道用給水口と、自走式環境リサイクル機に搭載可能な水タンクに接続されるタンク用給水口とを設ける一方、何れか一方の給水口からの水を散水装置に供給する切換え手段を設けたことを特徴とするものである。
そして、この様にすることにより、作業現場で水道水を確保できるか否かに対応して、水道と水タンクとの両方を利用できることになって、利便性に優れる。
このものにおいて、自走式環境リサイクル機は、破砕装置と、該破砕装置に被破砕物を導入する被破砕物導入部とを備える一方、該被破砕物導入部の下方スペースに水タンクを配したものにおいては、水タンクを搭載しても自走式環境リサイクル機の全長が長くなってしまうことを回避でき、自走式環境リサイクル機のコンパクト化に寄与できると共に、スペースの有効利用が図れる
【０００６】
【発明の実施の形態】
次に、本発明の実施の形態を図面に基づいて説明する。図面において、１は自走式破砕機であって、該自走式破砕機１は、クローラ式の左右の走行体２に支持される基台フレーム３の前後方向略中央部に、ジョークラッシャ等からなる破砕装置４が載置されている。該破砕装置４の後側上方には、コンクリート塊等の被破砕物が投入されるホッパ５が配され、該ホッパ５の下方には、ホッパ５に投入された被破砕物を破砕装置４の入口部４ａに導入するための振動フィーダ６が配されているが、これらホッパ５および振動フィーダ６は、その後半側が基台フレーム３の後端部から後方に突出する状態で、支持フレーム７を介して基台フレーム３に支持されている。さらに、上記振動フィーダ６は、所謂グリズリフィーダと称されるものであって、底面部の前半側に鋸歯状プレート６ａを有し、ホッパ５に投入された被破砕物を破砕装置４側に順次搬送すると共に、破砕不要の小さなコンクリート塊や土砂等を、鋸歯状プレート６ａの間隙から下方に落下させる。そして、該落下物は、振動フィーダ６の前半側の下方から機体左右方に突出する状態で配されるサイドコンベア８によって、自走式破砕機１の左右外方に搬出されるように構成されている。
一方、破砕装置４の前方には、燃料タンク９、作動油タンク１０、操縦部１１等が配され、さらにその前方には、図示しないエンジンや油圧ポンプ等が収納される動力室１２等が配されている。また、破砕装置４により破砕された処理物を機外に排出するための搬出コンベア１３が、破砕装置４の下方から動力室１２の下方に至り、さらに機体前上方に向けて突出する状態で配されている。
尚、図中、２８は搬出コンベア１３の中途部上方に配される磁選機であって、該磁選機２８は、コンクリート塊に含まれる鉄筋等の金属材を磁石で磁着して機外に放出するように構成されている。
【０００７】
さらに自走式破砕機１には、破砕に伴って生じる塵埃の飛散を防止するための散水装置１４が設けられている。該散水装置１４は、水道または後述する水タンク装置１５に接続されるジョイント部１６、該ジョイント部１６から散水箇所まで伸びる給水導管１７、該給水導管１７の先端部に設けられる第一、第二噴射ノズルアッシー１８Ｘ、１８Ｙ、給水導管１７の中途部に設けられる第一、第二バルブ１９Ｘ、１９Ｙ等から構成されている。
【０００８】
前記ジョイント部１６は、基台フレーム３の後端部に配置されているが、このものは、水道にホース（図示せず）を介して接続される水道用給水口１６ａと、該水道用給水口１６ａからの水路を開閉するための水道用コック１６ｂと、水タンク装置１５から伸びるホース２０が接続されるタンク用給水口１６ｃと、該タンク用給水口１６ｃを封止するための着脱自在な封止用プラグ（図示せず）とを備えている。
【０００９】
給水導管１７は、基端側が前記ジョイント部１６に接続され、先端側は基台フレーム３の前端からさらに搬出コンベア１３の前端部まで伸び、その先端部に第一噴射ノズルアッシー１８Ｘが設けられる一方、中途部で分岐１７ａして破砕装置４の入口部４ａまで伸び、その先端部に第二噴射ノズルアッシー１８Ｙが設けられている。さらに、前記分岐１７ａ部分には、第一噴射ノズルアッシー１８Ｘへの水路を開閉するための第一バルブ１９Ｘと、第二噴射ノズルアッシー１８Ｙへの水路を開閉するための第二バルブ１９Ｙとが設けられている。
【００１０】
第一、第二噴射ノズルアッシー１８Ｘ、１８Ｙは、それぞれパイプ１８Ｘａ、１８Ｙａに複数の噴射ノズル１８Ｘｂ、１８Ｙｂが取り付けられたものであって、各パイプ１８Ｘａ、１８Ｙａの末端部には封止用プラグ１８Ｘｃ、１８Ｙｃが取り付けられている。そして第一噴射ノズルアッシー１８Ｘの噴射ノズル１８Ｘｂは、搬出コンベア１３により機外に排出された破砕処理物に水を噴射し、また第二噴射ノズルアッシー１８Ｙの噴射ノズル１８Ｙｂは、破砕装置４の入口部４ａに水を噴射し、これによって破砕作業に伴う塵埃の飛散を防止するように構成されている。
【００１１】
一方、水タンク装置１５は、水を貯溜する水タンク２１、該水タンク２１の水を散水装置１４に送り出すポンプ２２、水タンク２１からポンプ２２に吸引される水を濾過するストレーナ２３、水路となるホース２０およびパイプ２４、水タンク２１からポンプ２２への水路を開閉するためのタンク用コック２５等を用いて構成されるが、この水タンク装置１５は、ホッパ５および振動フィーダ６の後半側の下方のスペースに配されている。
つまり、ホッパ５および振動フィーダ６は、その後半側が基台フレーム３の後端部から後方に突出する状態で配されているが、該ホッパ５および振動フィーダ６を支持する支持フレーム７の後半側から垂下する状態で、水タンク装置１５用の取付けブラケット２６が組み付けられている。さらに取付けブラケット２６の前端側は、基台フレーム３の後端部に支持されている。そして、この取付けブラケット２６に、水タンク２１がバンド２７を介して固定支持されると共に、ポンプ２２、ホース２０およびパイプ２４（ストレーナ２３およびタンク用コック２５はパイプ２４の中途部に組込まれる）が支持される構成となっているが、この場合、水タンク装置１５は、ホッパ５および振動フィーダ６の後半側の下方のスペース（振動フィーダ６の前半側の下方に配されるサイドコンベア８の後方のスペース）に、ホッパ５および振動フィーダ６の後端部から後方に突出することなく、さらにホッパ５および振動フィーダ６の左右幅から左右外方に突出することのない状態で搭載されている。
【００１２】
扨、自走式破砕機１において破砕作業を行うにあたり、破砕作業現場で水道水を水源として用いることができない場合には、自走式破砕機１に水タンク装置１５を搭載し、該水タンク装置１５から伸びるホース２０を散水装置１４のジョイント部１６のタンク用給水口１６ｃに接続する一方、水道用コック１６ｂは閉じておく。そして散水を実施するときには、タンク用コック２５および第一、第二バルブ１９Ｘ、１９Ｙを開いてポンプ２２を駆動させることにより、第一噴射ノズルアッシー１８Ｘからの水が搬出コンベア１３から機外に排出された破砕処理物に噴射されると共に、第二噴射ノズルアッシー１８Ｙからの水が破砕装置４の入口部４ａに噴射される。尚、何れか一方の噴射ノズルアッシー１８Ｘ、１８Ｙからのみ散水する場合には、対応する何れか一方の第一、第二バルブバルブ１９Ｘ、１９Ｙのみを開けば良い。
また、自走式破砕機１に水タンク装置１５が搭載されている状態でドレン排水を行う場合には、水道用コック１６ｂを閉じた状態で、第一、第二噴射ノズルアッシー１８Ｘ、１８Ｙの封止用プラグ１８Ｘｃ、１８Ｙｃを外し、第一、第二バルブ１９Ｘ、１９Ｙを開き、さらにポンプ２２のドレン口（図示せず）、水タンク２１のドレン口（図示せず）を開くことによりドレン排水される。
【００１３】
一方、破砕作業現場で水道水を水源として用いることができる場合には、水タンク装置１５を自走式破砕機１に搭載する必要はなく、この場合には、散水装置１４のジョイント部１６のタンク用給水口１６ｃを封止用プラグで封止する一方、水道用給水口１６ａに水道から伸びるホースを接続する。そして散水を実施するときには、水道用コック１６ｂを開き、さらに第一、第二バルブ１９Ｘ、１９Ｙを開くことで、前述した水タンク装置１５を水源とする場合と同様に、第一噴射ノズルアッシー１８Ｘからの水が搬出コンベア１３から機外に排出された破砕処理物に噴射されると共に、第二噴射ノズルアッシー１８Ｙからの水が破砕装置４の入口部４ａに噴射される。尚、この場合においても、何れか一方の噴射ノズルアッシー１８Ｘ、１８Ｙからのみ散水する場合には、対応する何れか一方の第一、第二バルブバルブ１９Ｘ、１９Ｙのみを開けばよい。
また、この場合のドレン排水は、第一、第二噴射ノズルアッシー１８Ｘ、１８Ｙの封止用プラグ１８Ｘｃ、１８Ｙｃを外し、第一、第二バルブ１９Ｘ、１９Ｙを開き、さらに水道用コック１６ｂを開くことにより、水道用給水口１６ａからドレン排水される。
【００１４】
叙述の如く構成されたものにおいて、自走式破砕機１には塵埃飛散防止用の散水装置１４が装備されているが、該散水装置１４は、水道に接続される水道用給水口１６ａと、水タンク装置１５に接続されるタンク用給水口１６ｃとを有している。そして、水道水を水源とする場合には、水道用給水口１６ａに水道を接続する一方、タンク用給水口１６ｃを封止用プラグで塞ぐことにより、水道からの水を散水装置１４に供給でき、また水タンク装置１５の水を水源とする場合には、水タンク装置１５から伸びるホース２０をタンク用給水口１６ｃに接続する一方、水道用コック１６ｂを閉じておくことにより、水タンク２１の水を散水装置１４に供給できることになる。この結果、破砕作業現場で水道水を確保できるか否かに対応して、水道、水タンク装置１５の両方を利用できることになって、利便性に優れる。
尚、本実施の形態では、水道または水タンク２１から散水装置１４への水供給の切換え手段として、水道用コック１６ｂおよびタンク用コック２５を別々に設けたが、これに限定されることなく、例えば三方コックを用いて切換える構成にすることもできる。
【００１５】
さらにこのものにおいて、前記水タンク装置１５は、被破砕物を破砕装置４に導入するべく機体後方上方に配されるホッパ５および振動フィーダ６の下方のスペースに、ホッパ５および振動フィーダ６の後方および左右外方から突出することのない上下オーバーラップ状態で配されている。このため、水タンク装置１５を搭載しても、自走式破砕機１の前後長さや左右幅が大きくなってしまうことがなく、自走式破砕機１のコンパクト化に寄与できると共に、スペースの有効利用が図れることになる。
尚、本発明の散水装置の構造・システムは、前述した自走式破砕機だけでなく、自走式土質改良機（土砂、固化材の飛散防止）、木質系自走式タブグラインダー（木材チップ、木粉の飛散防止）等を代表とする同類の環境リサイクル機にも適用でき、この場合にも同様の作用効果を提供し得る。
【図面の簡単な説明】
【図１】自走式破砕機の平面図である。
【図２】自走式破砕機の側面図である。
【図３】散水装置の配設状態を示す平面図である。
【図４】散水装置の配設状態を示す側面図である。
【図５】水タンク装置の平面図である。
【図６】水タンク装置の側面図である。
【図７】（Ａ）はジョイント部の拡大図、（Ｂ）は給水導管の分岐部分の拡大図である。
【符号の説明】
１    自走式破砕機
５    ホッパ
６    振動フィーダ
１４    散水装置
１６    ジョイント部
１６ａ  水道用給水口
１６ｂ  水道用コック
１６ｃ  タンク用給水口
２１    水タンク
２５    タンク用コック
【図１】
2004344814.tif 000003
【図２】
2004344814.tif 000004
【図３】
2004344814.tif 000005
【図４】
2004344814.tif 000006
【図５】
2004344814.tif 000007
【図６】
2004344814.tif 000008
【図７】
2004344814.tif 000009